(57)【特許請求の範囲】
【請求項１】
送風部を首振り運動させる首振り装置を備えた扇風機において、
前記送風部の駆動源として直流ファンモータを搭載し、
前記首振り装置の駆動源として、左右首振り用のステッピングモータと上下首振り用のステッピングモータとを搭載し、
手動による前記送風部の位置を中心として、前記上下首振りの速度と、前記上下首振りの角度と、前記左右首振りの速度と、前記左右首振りの角度と、前記直流ファンモータの回転数とを、操作部を介してそれぞれ設定可能にする制御部を備えたことを特徴とする扇風機。
【請求項２】
前記送風部の方向を位置検出して、その位置により当該送風部からの風量を可変する構成としたことを特徴とする請求項１記載の扇風機。
【請求項３】
前記制御部により前記直流ファンモータの回転数を変化させて、リズム風を生成する構成としたことを特徴とする請求項１又は２記載の扇風機。
【発明の詳細な説明】
【技術分野】
【０００１】
本発明は、送風を行なう扇風機に関する。
【背景技術】
【０００２】
この種の扇風機として、例えば特許文献１には、首振り装置によって送風部を首振り運動させるものが知られている。また別な特許文献２には、リモコン操作により運転モードを切り替えることができる扇風機が開示されている。
【０００３】
また、図１２や図１３に示すように、従来のリモコン送信機では、複数の電子部品（図示せず）を実装する基板１０１が内蔵され、ボタン電池１０２の側面部を保持して導通するための端子部品１０３が、基板１０１の表面に半田付けで設置されるのが一般的であった。
【先行技術文献】
【特許文献】
【０００４】
【特許文献１】特開平６−１７３８８８号公報
【特許文献２】特開２００５−３８０４５９号公報
【発明の概要】
【発明が解決しようとする課題】
【０００５】
しかし上述した従来の扇風機は、首振り装置の駆動源として同期モータを使用しているため、首振り速度および首振り角度の設定ができず、一定の動作しか行えない不満があった。
【０００７】
そこで本発明は上記問題点に鑑み、複数の使用者にそれぞれ適合した時間で送風を行なうことが可能な扇風機を提供することを、第１の目的とする。
【課題を解決するための手段】
【０００９】
請求項１の発明では、送風部の駆動源として直流ファンモータを搭載し、首振り装置の駆動源として、従来の同期モータに代わり左右首振り用のステッピングモータと上下首振り用のステッピングモータを用い、手動による送風部の位置を中心として、上下首振りの速度と、上下首振りの角度と、左右首振りの速度と、左右首振りの角度と、直流ファンモータの回転数とを、操作部を介してそれぞれ設定可能にする制御部を備えているので、これらのステッピングモータに適切なパルス駆動信号を与えるだけで、送風部の首振り速度や首振り角度を簡単に設定した状態にすることができると共に、送風部からの風量を設定できる。そのため、送風部の首振り速度や首振り角度を任意に設定すると共に、送風部からの風量を設定して、送風部から複数の使用者にそれぞれ適合した時間で送風を行なうことが可能になる。
【００１０】
請求項２の発明では、設定された送風部の首振り速度と首振り角度から、送風部が所望の首振り方向に到達するまでの時間を予測し、その時間に対応して送風部からの風量を任意に可変できるので、扇風機として送風部から複数の使用者にそれぞれ適合した風量を提供することができる。
【００１１】
請求項３の発明では、制御部によりＤＣファンモータをパルス幅制御して、その回転数を変化させることで、ＤＣファンモータの通電を停止させることなく、送風部からリズム風を発生させることができる。そのため、扇風機として使用者による誤認識を無くすと共に、使用者に対してリズミカルな風を提供できる。
【発明の効果】
【００１３】
請求項１の発明によれば、複数の使用者にそれぞれ適合した時間で送風を行なうことが可能な扇風機を提供することができる。
【００１４】
請求項２の発明によれば、扇風機として複数の使用者にそれぞれ適合した風量を提供することができる。
【００１５】
請求項３の発明によれば、扇風機として使用者による誤認識を無くすと共に、使用者に対してリズミカルな風を提供することができる。
【図面の簡単な説明】
【００１７】
【図１】本発明の第１実施例を示す扇風機本体の全体斜視図である。
【図２】同上、扇風機本体の正面図である。
【図３】同上、扇風機本体の右側面図である。
【図４】同上、扇風機本体の平面図である。
【図５】同上、送風部を傾けた状態の扇風機本体の右側面図である。
【図６】同上、図４のＢ−Ｂ線断面図である。
【図７】同上、要部斜視図である。
【図８】同上、台座の平面図である。
【図９】同上、扇風機の電気的構成を示すブロック図である。
【図１０】同上、リモコン内部のボタン電池を装着していない状態の要部斜視図である。
【図１１】同上、ボタン電池を装着した状態の要部斜視図である。
【図１２】従来例におけるリモコン内部のボタン電池を装着していない状態の要部斜視図である。
【図１３】同上、ボタン電池を装着した状態の要部斜視図である。
【発明を実施するための形態】
【００１８】
以下、添付図面を参照しつつ、本発明における扇風機の好ましい実施例を説明する。
【００１９】
図１〜図５は扇風機本体１の外観を示しており、これらの各図において、２は室内の床面などに載置されるベースとしての台座、３は台座２から上方に向かう支柱、４は風を送り出す羽根部としての送風部で、支柱３の上端部と送風部４との間には、送風部４を任意の方向に首振り運動させるための首振り装置６が装備される。台座２は、その外形が平面視でほぼ円形をなす扁平状に形成され、前方上面には複数のキーやボタンからなる操作部８が設けられる。また支柱３は、首振り装置６を含めた送風部４を昇降させる昇降装置をなすもので、台座２の後方上面から垂直に延びる筒状の支柱基部１１と、この支柱基部１１の内側に上下摺動自在に組み付けられた摺動杆１２とからなり、支柱基部１１の上部後方に設けたロック釦１３を、図示しない弾性体の付勢力に抗して押動することにより、支柱基部１１と摺動杆１２との係合が解除されて、送風部４や首振り装置６を支持する摺動杆１２が、支柱基部１１に対して上下に摺動するようになっている。なお、上記各図には示していないが、扇風機本体１には遠隔操作体としてのリモコン送信機５１（図９を参照）を別体で備えており、これらの扇風機本体１とリモコン送信機５１とにより、本実施例における扇風機が構成される。
【００２０】
次に、送風部４や首振り装置６の構成を、図６や図７を参照しながら説明する。送風部４は、駆動源としてのＤＣ（直流）ファンモータ１５と、このＤＣファンモータ１５により回転駆動されるファン１６と、ファン１６を覆う網状のファンガード１７とからなる。ファン１６は、ＤＣファンモータ１５の前方に突出した回転軸（図示せず）に固定され、複数の羽根１８を放射状に配置して構成される。また、送風部４のＤＣファンモータ１５と首振り装置６の全体は、前側を開口した駆動部カバー１９により覆われており、この駆動部カバー１９の開口周縁にファンガード１７が取り付けられる。本実施例では、特に送風部４の駆動源としてＡＣ（交流）モータではなく、ＤＣファンモータ１５を採用しているので、このＤＣファンモータ１５に供給するパルス駆動信号のデューティを制御することで、ファン１６の回転数を任意に可変することができる。
【００２１】
首振り装置６は、前記支柱３の上端部に俯仰回動可能に設けられた支持台２１上に支持され、送風部４を左右水平方向に揺動させる左右首振り部２３と、送風部４を上下垂直方向に揺動させる上下首振り部２４とをそれぞれ備えている。左右首振り部２３は、支持台２１に対して水平回動可能に設けられた受け台２５に取り付けられ、送風部４を左右に揺動させる駆動源として、第１のステッピングモータ２６を備えている。また、上下首振り部２４は送風部４に取り付けられ、送風部４を上下に揺動させる駆動源として、第２のステッピングモータ２７を備えている。送風部４を含めた上下首振り部２４は、リンク片２８によって左右首振り部２３と俯仰回動可能に連結されており、これにより第２のステッピングモータ２７だけでなく第１のステッピングモータ２６の駆動力も、リンク片２８を介して送風部４に伝達されるようになっている。また、首振り装置６による送風部４の首振り運動とは別に、俯仰回動可能な支持台２１と、水平回動可能な受け台２５とにより、送風部４を手動で上下と左右に動かすことができる。
【００２２】
次に、図８を参照しながら操作部８の構成を説明すると、扇風機本体１に搭載される送風部８は、押し釦式の操作キー３１Ａ〜３１Ｌと、回転式および押し釦式を兼用する操作ボタン３２とを備えている。操作キー３１Ａは、上下首振り部２４による上下首振り角度を所定範囲に設定するキーで、この操作キー３１Ａを押動することにより、送風部４の上下首振り角度を例えば２０°に設定できる。操作キー３１Ｂ〜３１Ｄは、左右首振り部２３による左右首振り角度を所定範囲に段階的に設定するキーで、操作キー３１Ｂを押動すると、送風部４の左右首振り角度を例えば９０°に設定でき、操作キー３１Ｃを押動すると、送風部４の左右首振り角度を例えば７０°に設定でき、操作キー３１Ｄを押動すると、送風部４の左右首振り角度を例えば５０°に設定できるようになっている。操作キー３１Ｅ〜３１Ｇは、首振り装置６による送風部４の首振り速度を段階的に設定するキーで、押動した操作キー３１Ｅ〜３１Ｇに対応して、送風部４の首振り速度を例えば「高」，「中」，「低」の３段階に設定できるようになっている。
【００２３】
その他、操作キー３１Ｈは、上下首振り部２４の起動と停止を切換える上下首振りキーであり、操作キー３１Ｉは、左右首振り部２３の起動と停止を切換える左右首振りキーであり、操作キー３１Ｊ，３１Ｋは、予め設定した時間に送風機４の動作を開始または停止させる入タイマーキーと切タイマーキーであり、操作キー３１Ｌは、扇風機本体１としての運転開始と運転停止を切換える電源キーである。
【００２４】
さらに、操作キー３１Ａ〜３１Ｌの前方に配置された操作ボタン３２は、押動操作により送風部４による連続送風運転とリズム送風運転を切換え、回転操作により送風部４からの風量の調節を行なうものである。
【００２５】
図９は、本実施例における扇風機の電気的構成を示したものである。同図において、４１は扇風機本体１の台座２に配設されたマイコンを含む制御部４１であり、この制御部４１の入力ポートには前述した操作部８の他に、リモコン送信機５１からのリモコン操作信号を受信する受信部４２が接続される一方で、制御部４１の出力ポートには、送風部４を構成するＤＣファンモータ１５と、左右首振り部２３を構成する第１のステッピングモータ２６と、上下首振り部２４を構成する第２のステッピングモータ２７がそれぞれ接続される。リモコン送信機５１は、前記扇風機本体１の操作部８と同等の機能を有し、複数の操作キーや操作ボタンにより構成されるリモコン操作部５２を備えており、リモコン操作部５２を操作することに伴い、リモコン送信機５１の内部で生成されるリモコン操作信号が、送信部（図示せず）を介して扇風機本体１の受信部４２に無線で伝送されるようになっている。
【００２６】
制御部４１は、マイコンによるソフトウェア上の機能として、前記操作キー３１Ａ〜３１Ｌや操作ボタン３２を操作するのに伴い、操作部８から発生する操作信号や、或いはリモコン送信機５１から受信部４２で受信されるリモコン操作信号を受けて、ＤＣファンモータ１５の動作を制御する送風制御部４４と、第１のステッピングモータ２６の動作を制御する左右首振り制御部４５と、第２のステッピングモータ２７の動作を制御する上下首振り制御部４６とをそれぞれ備えている。また制御部４１は、扇風機本体１の運転中はもとより、操作キー３１Ｌの押動操作により扇風機本体１の運転を停止した後も、送風部４からの風量や、首振り装置６による送風部４の左右の首振り角度や、送風部４の上下の首振り角度や、送風部４の首振り速度などの各種設定状態を記憶する記憶部４７を備えている。この記憶部４７に記憶される設定状態は、操作キー３１Ｌを再度押動操作して扇風機本体１の運転を再開したときに読み出され、これにより運転停止直前と同じ状態で、送風部４や首振り装置６を動作させることが可能になる。
【００２７】
次に、前記扇風機本体１と独立して設けられるリモコン送信機５１の内部構成について、図１０と図１１を参照して詳しく説明する。これらの各図において、１０１は複数の電子部品（図示せず）を実装する基板で、これはいわゆるプリント配線基板として、平板状の電気絶縁性基材に銅などの電気導電性に優れた配線パターンを形成して構成される。基板１０１の適所には、扁平円板状をなすボタン電池１０２の外形が収まる孔形状でスルーホール１１１が貫通形成される。スルーホール１１１の内壁面はメッキ処理による金属製の端子部１１２が形成され、この導通部１１２によって、前述した配線パターンを通じて任意の電子部品への導通を図るようになっている。メッキ処理されたスルーホール１１１の孔形状は、ボタン電池１０２よりも若干小さく、ボタン電池１０２をスルーホール１１１に収容したときに、その正極となる側面部が端子部１１２に確実に接触するようになっている。
【００２８】
１１３は、ボタン電池１０２の負極となる底面部に当接する金属板状の端子部品である。この端子部品１１３の基端部は、前述した基板１０１の配線パターンに半田付け接続され、任意の電子部品への導通が図られる一方、端子部品１１３の先端部は、スルーホール１１１の一側開口面に臨んでおり、ボタン電池１０２をスルーホール１１１に収容したときに、ボタン電池１０２の底面部に弾発的に当接して、ボタン電池１０２がスルーホール１１１から脱落するのを防止するようになっている。
【００２９】
そして本実施例では、ボタン電池１０２をスルーホール１１１に押し込むことにより、ボタン電池１０２の正極となる側面部が、スルーホール１１１の内壁面に形成した端子部１１２に接触すると共に、ボタン電池１０２の負極となる底面部が端子部品１１３の先端部に接触して、ボタン電池１０２からの電源電圧が基板１０１の配線パターンを通してリモコン送信機５１の各部に供給される。ここで背景技術に示した図１２や図１３と比較すると、従来の端子部品１０３に代わってメッキ処理されたスルーホール１１１を用い、このスルーホール１１１によって基板１０１の断面部でボタン電池１０２の側面部を保持することで、ボタン電池１０２の側面部を保持して導通するための端子部品１０３を廃止して、端子部品１０３の必要のないリモコン送信機５１を実現できる。
【００３０】
次に、上記構成の扇風機について、その作用を説明する。先ず、送風部４の動作を説明すると、操作キー３１Ｌを押動操作して扇風機本体１の運転を開始すると、送風制御部４４は記憶部４７に記憶される送風部４の設定風量を読み出し、当該設定風量に応じたデューティのパルス駆動信号をＤＣファンモータ１５に送出する。これにより、ＤＣファンモータ１５ひいてはファン１６は、扇風機本体１の運転停止直前と同じ回転数で動作し始め、その設定した風量が送風部４から連続的に発生する。
【００３１】
表１に示すように、本実施例では操作部８の操作ボタン３２を回転操作することにより、送風部４からの風量を７つのモードの何れか一つに設定できる。モード１では、ＤＣファンモータ１５の回転数が１５０ｒｐｍに設定され、以下、モード２〜７では、ＤＣファンモータ１５の回転数が４５０，６７０，８３０，９９０，１０６５，１１４０ｒｐｍにそれぞれ設定される。本実施例では送風制御部４４がＤＣファンモータ１５をパルス幅制御しているので、ＤＣファンモータ１５へのパルス駆動信号のデューティをさらに細かく可変すれば、表１に示すものよりも多くのモードで、送風部４から異なる風量の連続風を発生させることも容易に可能である。また、ここに示すＤＣファンモータ１５の回転数はあくまでも一例に過ぎない。
【００３２】
【表１】
0005786440.tif 000002
【００３３】
比較として、表１には従来の扇風機における風量の設定モードを並べているが、これは「ゆっくり」（回転数は４５０ｒｐｍ），「弱」（回転数は６７５ｒｐｍ），「中」（回転数は９９０ｒｐｍ），「強」（回転数は１１４０ｒｐｍ）の４つしか存在しない。その理由は、従来の扇風機では送風部の駆動源としてＡＣ（交流）ファンモータを用いており、ＤＣファンモータ１５に比べて回転数を任意に可変するのが難しいからである。
【００３４】
また本実施例では、同じ操作ボタン３２を押動操作することで、上述した時間の経過に拘らず送風部４から一定の風量を連続的に発生させる連続送風運転に代わり、時間の経過と共に送風部４から可変した風量を周期的に発生させるリズム送風運転を行なうことが可能である。送風制御部４４は、リズム送風運転に移行すると、次の表２に示す４つのパターンの何れか一つで、時間の経過と共に送風部４からの風量が周期的に滑らかに増減するように、パルス駆動信号のデューティを徐々に可変させ、このパルス駆動信号をＤＣファンモータ１５に送出する。
【００３５】
【表２】
0005786440.tif 000003
【００３６】
表２に示すパターン１，３，５，７は、リズム送風運転時に操作ボタン３２を回転操作することで、その何れか一つが設定されるが、連続送風運転の場合と同様に、より多くのパターンのリズム風を送風部４で発生させることも可能である。
【００３７】
パターン１では、ＤＣファンモータ１５の回転数が最小の１２０ｒｐｍから０．２秒毎に３０ｒｐｍの割合で増加し、１．２秒後に最大の３００ｒｐｍになる。そして、１．４秒後からは０．２秒毎に３０ｒｐｍの割合で減少し、３秒後には再び最小の１２０ｒｐｍになって、以後この１サイクルの動作が繰り返される。パターン３では、ＤＣファンモータ１５の回転数が最小の４９０ｒｐｍから０．２秒毎に３０ｒｐｍの割合で増加し、１．２秒後に最大の６７０ｒｐｍになる。そして、１．４秒後からは０．２秒毎に３０ｒｐｍの割合で減少し、３秒後には再び最小の４９０ｒｐｍになって、以後この１サイクルの動作が繰り返される。パターン５では、ＤＣファンモータ１５の回転数が最小の８１０ｒｐｍから０．２秒毎に３０ｒｐｍの割合で増加し、１．２秒後に最大の９９０ｒｐｍになる。そして、１．４秒後からは０．２秒毎に３０ｒｐｍの割合で減少し、３秒後には再び最小の８１０ｒｐｍになって、以後この１サイクルの動作が繰り返される。パターン７では、ＤＣファンモータ１５の回転数が最小の９６０ｒｐｍから０．２秒毎に３０ｒｐｍの割合で増加し、１．２秒後に最大の１１４０ｒｐｍになる。そして、１．４秒後からは０．２秒毎に３０ｒｐｍの割合で減少し、３秒後には再び最小の９６０ｒｐｍになって、以後この１サイクルの動作が繰り返される。なお、ここに示すパターンはあくまでも一例に過ぎず、ＤＣファンモータ１５の最小回転数，最高回転数，時間（秒数），回転数の増減の割合は、扇風機の仕様に合わせて適宜変更してよい。
【００３８】
本実施例では、送風制御部４４がＤＣファンモータ１５をパルス幅制御することにより、ＤＣファンモータ１５の回転数を時間の経過と共に変化させて、どのパターン１，３，５，７であってもＤＣファンモータ１５の通電を停止させることなく、送風部４からリズム風を発生させることができる。そのため、使用者による誤認識を無くすと共に、使用者に対してリズミカルな風を提供できる。また従来は、ＡＣファンモータを例えば９６０ｒｐｍで４秒間回転させた後、６００ｒｐｍで１秒間回転させるような、１つのパターンを繰り返すタップによる単純な切換制御しかできなかったが、本実施例では、時間の経過と共にＤＣファンモータ１５の回転数を変化させるリズム風を、複数パターンの中から切換えて制御できることから、この点でも複数の使用者にそれぞれ適したリズミカルな風を提供できる。
【００３９】
なお、上記操作ボタン３２の機能は、リモコン送信機５１のリモコン操作部５２にも備えられており、このリモコン操作部５２からの遠隔操作によっても、上述した送風制御部４４による送風部４の動作が可能である。
【００４０】
次に、首振り装置６の動作を説明すると、操作キー３１Ｌを押動操作して扇風機本体１の運転を開始した状態で、操作部８の操作キー３１Ｈを押動操作すると、上下首振り制御部４６は記憶部４７に記憶される送風部４の上下の首振り角度と首振り速度をそれぞれ読み出し、その首振り角度と首振り速度に対応するパルス駆動信号を、第２のステッピングモータ２７に送出する。これにより、第２のステッピングモータ２７による回転力が上下首振り部２４に発生し、設定された上下の首振り角度と首振り速度で、送風部４を繰り返し上下に揺動させることができる。
【００４１】
また、操作キー３１Ｌを押動操作して扇風機本体１の運転を開始した状態で、操作部８の操作キー３１Ｉを押動操作すると、左右首振り制御部４５は記憶部４７に記憶される送風部４の左右の首振り角度と首振り速度をそれぞれ読み出し、その首振り角度と首振り速度に対応するパルス駆動信号を、第１のステッピングモータ２６に送出する。これにより、第１のステッピングモータ２６による回転力が左右首振り部２３に発生し、設定された左右の首振り角度と首振り速度で、送風部４を繰り返し左右に揺動させることができる。
【００４２】
そして、左右首振り制御部４５と上下首振り制御部４６は、それぞれ対応する第１のステッピングモータ２６と第２のステッピングモータ２７を独立して制御できることから、上下と左右を組み合わせた立体的な動きに送風部４を繰り返し揺動させることが可能になる。
【００４３】
ここで、送風部４の上下の首振り角度は、操作キー３１Ａを押動操作すると２０°に設定され、その値が記憶部４７に記憶保持される。また、送風部４の左右の首振り角度は、操作キー３１Ｂを押動操作すると９０°に設定され、操作キー３１Ｃを押動操作すると７０°に設定され、操作キー３１Ｄを押動操作すると５０°に設定され、それらの何れか一つの値が記憶部４７に記憶保持される。さらに、送風部４の上下または左右の首振り速度についても、操作キー３１Ｅを押動操作すると「高」に設定され、操作キー３１Ｆを押動操作すると「中」に設定され、操作キー３１Ｇを押動操作すると「低」に設定され、それらの何れか一つの値が記憶部４７に記憶保持される。
【００４４】
また、これらの操作キー３１Ａ〜３１Ｉと同等のものが、リモコン送信機５１のリモコン操作部５２にも備えられており、対応するリモコン操作部５２を操作することにより、扇風機本体１から離れた位置から、送風部４の首振り角度や方向を指定できる。例として、リモコン操作部５２を操作して、送風部４の左右首振り角度を例えば１００°に設定するリモコン操作信号をリモコン送信機５１から送信したとする。このリモコン操作信号を、扇風機本体１の受信部４２が受信して制御部４１に取り込むと、制御部４１の左右首振り制御部４５は第１のステッピングモータ２６にパルス駆動信号を送出して、（１）最初に送風部４を時計回りに５０°回動させ、（２）その後で送風部４を反時計周りに１００°回動させ、（３）その後で送風部４を時計回りに１００°回動させ、以後、上記（２）と（３）の動作を繰り返し行わせる。その他に同様の手法で、リモコン送信機５１の遠隔操作により、送風部４の上下首振り角度や、上下と左右の首振り速度をそれぞれ指定することもできる。
【００４５】
送風部４は上述した制御部４１（左右首振り制御部４５や上下首振り制御部４６）により首振り動作される他に、俯仰回動可能な支持台２１と水平回動可能な受け台２５とを利用して、手動で上下および左右に動かされる。制御部４１は、手動で動かされた送風部４の位置（送風方向）を中心として、操作キー３１Ａ〜３１Ｄの押動操作により設定される首振り角度と、操作キー３１Ｅ〜３１Ｇの押動操作により設定される首振り速度で、送風部４を上下と左右に首振り動作させることができる。
【００４６】
また、本実施例の左右首振り制御部４５や上下首振り制御部４６は、送風部４の任意の方向を位置検出するために、上記設定された首振り角度や首振り速度に基づき、どの程度の時間で送風部４の首振り方向を逆にするのかを算出する機能を備えており、送風制御部４４は、この左右首振り制御部４５や上下首振り制御部４６で算出された時間の結果に基づき、送風部４の首振り方向が反転する頃の時間範囲を見計らって、設定した送風運転や風量が得られるように、ＤＣファンモータ１５を制御するようになっている。これにより、例えば上記リズム風を生成する場合に、例えば送風部４の首振り方向が反転する頃にＤＣファンモータ１５の回転数を最小にする一方で、首振りの中心位置付近ではＤＣファンモータ１５の回転数を最大するなど、送風部４の上下または左右の首振り位置に応じて、送風制御部４４からＤＣファンモータ１５に与えられるパルス駆動信号のデューティを変えることで、送風部４からの風量を適切に可変することが可能になる。
【００４７】
以上のように本実施例では、送風部４を首振り運動させる首振り装置６を備えた扇風機において、この首振り装置６の駆動源として、左右首振り用のステッピングモータとなる第１のステッピングモータ２６と、上下首振り用のステッピングモータとなる第２のステッピングモータ２７とを搭載し、使用者が動かした手動による送風部４の位置を中心として、送風部４の上下首振りの速度と、上下首振りの角度と、左右首振りの速度と、左右首振りの角度と、前記ＤＣファンモータ１５の回転数とを、操作部８やリモコン操作部５２を介してそれぞれ設定できるように制御部４１を構成している。
【００４８】
この場合、送風部４の駆動源としてＤＣファンモータ１５を搭載し、首振り装置６の駆動源として、従来の同期モータに代わり第１のステッピングモータ２６や第２のステッピングモータ２７を用い、手動による送風部４の位置を中心として、送風部４の上下首振りの速度と、上下首振りの角度と、左右首振りの速度と、左右首振りの角度と、ＤＣファンモータ１５の回転数とを、操作部８やリモコン操作部５２を介してそれぞれ設定可能にする制御部４１を備えているので、これらの第１のステッピングモータ２６や第２のステッピングモータ２７に適切なパルス駆動信号を与えるだけで、送風部４の首振り速度や首振り角度を簡単に設定した状態にすることができると共に、送風部４からの風量を設定できる。そのため、送風部４の首振り速度や首振り角度を任意に設定すると共に、送風部４からの風量を設定して、送風部４から複数の使用者にそれぞれ適合した時間で送風を行なうことが可能になる。
【００４９】
また本実施例では、送風部４の方向を位置検出して、その位置により送風部４からの風量を可変する構成を、制御部４１に備えている。
【００５０】
従来の扇風機は、送風部の首振り位置がどこであるのかが判らず、任意の首振り位置での風量可変ができなかったため、この点でも一定の動作しか行えない不満があった。しかし本実施例では、設定された送風部４の首振り速度と首振り角度から、送風部４が所望の首振り方向に到達するまでの時間を予測し、その時間に対応して送風部４からの風量を任意に可変できるので、扇風機として送風部４から複数の使用者にそれぞれ適合した風量を提供することができる。
【００５１】
また本実施例では、送風部４の駆動源としてＤＣファンモータ１５を搭載し、制御部４１の特に送風制御部４４によりＤＣファンモータ１５の回転数を時間の経過と共に周期的に変化させて、リズム風を生成する構成を採用している。
【００５２】
従来のＡＣ（交流）ファンモータを用いたリズム風の制御では、決められた回転数と時間によるタップによる切換または通電を停止した操作を繰り返すような、一定の動作しか行えなかった。そのため、扇風機の運転が停止して故障の原因であると使用者が誤認識する場合があった。しかし本実施例では、送風制御部４４によりＤＣファンモータ１５をパルス幅制御して、その回転数を変化させることで、ＤＣファンモータ１５の通電を停止させることなく、送風部４からリズム風を発生させることができる。そのため、扇風機として使用者による誤認識を無くすと共に、使用者に対して送風部４からリズミカルな風を提供できる。
【００５３】
また本実施例では、前記図１０や図１１で示すように、基板１０１を内蔵するリモコン送信機５１を備えた扇風機において、基板１０１に電池としてのボタン電池１０２を収容するメッキ処理されたスルーホール１１１を形成し、このスルーホール１１１によりボタン電池１０２の側面部を保持する構成を採用している。
【００５４】
この場合、基板１０１にわざわざ端子部品１０３を設置しなくても、基板１０１に形成したスルーホール１１１にボタン電池１０２を収容すれば、そのボタン電池１０２の側面部をスルーホール１１１で保持することができ、端子部品１０３を廃止してコストの削減を図ることが可能な扇風機を提供できる。
【００５５】
さらに実施例上の効果として、従来の扇風機の首振り装置は、ファンモータまたはギヤモータを駆動源にし、クランプ機構を利用して送風部を首振り動作させていたが、この方法では首振りの角度や方向をリモコン送信機で自由に変更できず、使用者がわざわざ扇風機本体の所に行って手で調整する必要があって、リモコン送信機としてのメリットが生かされていなかった。しかし、本実施例の扇風機は、首振り装置の駆動源として第１のステッピングモータ２６と第２のステッピングモータ２７を使用し、リモコン送信機５１からのリモコン操作信号を扇風機本体１内のマイコンである制御部４１が受けたときに、当該制御部４１が現在の送風部４の位置を中心として、第１のステッピングモータ２６と第２のステッピングモータ２７を各々駆動させることで、扇風機本体１から離れた位置で、使用者が送風部４の首振り角度や方向を指定でき、リモコン送信機５１の使い勝手を向上させることができる。
【００５６】
なお、本発明は上記実施例に限定されるものではなく、本発明の趣旨を逸脱しない範囲で種々の変更可能である。
【符号の説明】
【００５７】
４  送風部
６  首振り装置
８  操作部
１５  ＤＣファンモータ
２６  第１のステッピングモータ（左右首振り用のステッピングモータ）
２７  第２のステッピングモータ（上下首振り用のステッピングモータ）
４１  制御部
５２  リモコン操作部（操作部）
【図１】
0005786440.tif 000004
【図２】
0005786440.tif 000005
【図３】
0005786440.tif 000006
【図４】
0005786440.tif 000007
【図５】
0005786440.tif 000008
【図６】
0005786440.tif 000009
【図７】
0005786440.tif 000010
【図８】
0005786440.tif 000011
【図９】
0005786440.tif 000012
【図１０】
0005786440.tif 000013
【図１１】
0005786440.tif 000014
【図１２】
0005786440.tif 000015
【図１３】
0005786440.tif 000016